(57)【特許請求の範囲】
【請求項１】
複数のキャスターを設けたベースフレーム上に立設された門型曲りフレームと、該ベースフレーム上の後部に配設されショッピングかごを載置するためのかご保持フレームと、該門型曲りフレームの内側に前向きに装着されてなるチャイルドシートと、を備えたショッピングカートにおいて、
該チャイルドシートが、幼児の上半身を保持する背部と、幼児の腰部を保持する座部と、該腰部の前方を囲う肘置きガード部と、該幼児の股間を保持する股保持部とを各々別個に合成樹脂で成形し、各部を分解可能に組み立てて形成され、該座部、該肘置きガード部、及び該股保持部は、相互に組み付けられた状態で、複数の固定ねじにより締め付け固定され、該座部は、前記かご保持フレームの前部及び門型曲りフレーム上に固定した取付板の上に、固定ねじで締め付け固定され、該背部は、前記門型曲りフレームの内側で水平軸により前後に回動可能に軸支されていることを特徴とするショッピングカート。
【請求項２】
前記チャイルドシートの背部の下端部が当接する背部当て部が前記座部の後部に設けられていることを特徴とする請求項１記載のショッピングカート。
【請求項３】
前記チャイルドシートの少なくとも前記背部と座部が合成樹脂のブロー成形により形成されていることを特徴とする請求項１記載のショッピングカート。
【発明の詳細な説明】
【０００１】
【発明の属する技術分野】
本発明は、スーパーマーケット、大型量販店等で使用され、幼児を乗せるためのチャイルドシートを備えたショッピングカートに関する。
【０００２】
【従来の技術】
従来、スーパーマーケット、大型量販店等で使用されるショッピングカートとして、子供連れの買い物客のために、子供を乗せるチャイルドシートを装着したショッピングカートが、実開平７−２７９７６号公報等で提案されている。
【０００３】
【発明が解決しようとする課題】
従来のこの種のショッピングカートは、カート本体に取り付けられたチャイルドシートが、基本的に、合成樹脂の射出成形により単に一体成形された構造であるため、幼児の座り心地を考慮した良好な形状に形成することができず、幼児にとっては、座り心地が悪く、あまり快適に着座していることができにくい不具合があった。このため、長い時間の買い物では、幼児がチャイルドシートから下りたくなる等の問題が生じる場合があった。また、幼児をチャイルドシートに乗せて買い物をしている際、チャイルドシート上の幼児がむずかる等して動いた場合、或は幼児が眠ってしまった場合、チャイルドシートの構造が比較的単純であるために、幼児がシートから落ちそうになる等の問題が生じる恐れがあった。
【０００４】
本発明は、上記の点に鑑みてなされたもので、幼児が快適に且つ安全に使用できるチャイルドシートを備えたショッピングカートを提供することを目的とする。
【０００５】
【課題を解決するための手段】
上記目的を達成するために、本発明のショッピングカートは、複数のキャスターを設けたベースフレーム上に立設された門型曲りフレームと、該ベースフレーム上の後部に配設されショッピングかごを載置するためのかご保持フレームと、該門型曲りフレームの内側に前向きに装着されてなるチャイルドシートと、を備えたショッピングカートにおいて、該チャイルドシートが、幼児の上半身を保持する背部と、幼児の腰部を保持する座部と、該腰部の前方を囲う肘置きガード部と、該幼児の股間を保持する股保持部とを各々別個に合成樹脂で成形し、各部を分解可能に組み立てて形成され、該座部、該肘置きガード部、及び該股保持部は、相互に組み付けられた状態で、複数の固定ねじにより締め付け固定され、該座部は、前記かご保持フレームの前部及び門型曲りフレーム上に固定した取付板の上に、固定ねじで締め付け固定され、該背部は、前記門型曲りフレームの内側で水平軸により前後に回動可能に軸支されていることを特徴とする。
【０００６】
ここで、前記チャイルドシートは、その背部の下端部が当接する背部当て部が前記座部の後部に設けられる構成とすることができる。
【０００７】
また、前記チャイルドシートは、少なくとも前記背部と座部が合成樹脂のブロー成形により形成される構成とすることができる。
【０００８】
【作用】
このような構成のショッピングカートは、幼児をそのチャイルドシートに乗せ、ショッピングかごをかご保持フレーム上に載せて使用されるが、チャイルドシートが、背部、座部、肘置きガード部、及び股支持部を別個に成形し、それらを分解可能に組み立てて構成されるから、各部を合成樹脂により任意な立体形状に成形することができる。従って、その背部は中央の凹部を充分に深く立体的に形成して、幼児の上半身を背部内に良好に保持させることができ、肘置きガード部、股支持部は、充分な太さと強度を持って幼児を安全に保持することができる。
【０００９】
【発明の実施の形態】
以下、本発明の実施の形態を図面に基づいて説明する。図１はチャイルドシート付きショッピングカートの正面図を示し、図２はその背面図を、図３はその平面図を、図４はその右側面図を示している。１はショッピングカートのベースフレーム、２は門型曲りフレームであり、ベースフレーム１は、金属パイプを略台形形状に曲げ、その前部内側にステップ板１ａを固定して形成される。
【００１０】
門型曲りフレーム２は、金属パイプを、正面視で略コ字状に曲げると共に、側面視で略Ｌ字状に曲げて形成され、水平に配設されたベースフレーム１の後端部に、垂直に立てた状態で固定される。略台形形状のベースフレーム１は、その上辺部がカートの前部となり、その底辺部が後部となり、ベースフレーム１の後部は枠のない凹状に形成される。
【００１１】
平面形状を略台形形状とするベースフレーム１には、その各頂点位置付近に合計４個の自在キャスター３が取り付けられ、２個の自在キャスター３がベースフレーム１の前部の両側に取り付けられ、他の２個がベースフレーム１後部の左右両端部の門型曲りフレーム２の下端に取り付けられる。これにより、カートは前２輪と後２輪の自在キャクター３を有した構造となり、全ての方向に移動可能で且つ旋回可能である。
【００１２】
門型曲りフレーム２の上部両側に、合成樹脂製のグリップ５が金属パイプの曲げ部を被覆するように取り付けられる。さらに、門型曲りフレーム２の下部の内側で、ベースフレーム１上には、ショッピングかごＳを保持するためのかご保持フレーム４が、略水平に固定される。
【００１３】
かご保持フレーム４は、金属棒または金属パイプを曲げた素材から形成され、ベースフレーム１の両側部にかけ渡すように固定される前部フレーム４ａと、門型曲りフレーム２の下部両側にその下端部を固定し後部フレームを形成すると共に中央部を前後方向に延びその前部を垂直に上方に曲げてなる２本の中フレーム４ｂと、前部フレーム４ａと中フレーム４ｂの後部フレーム間の前後方向に固定される側部フレーム４ｃと、から構成される。
【００１４】
かご保持フレーム４はこのようなフレーム構成により、内側にショッピングかごＳを収容可能なスペースを設け、かご保持フレーム４の上にショッピングかごＳを入れて保持可能である。更に、かご保持フレーム４の２本の中フレーム４ｂの前部が垂直に上方に延設され、その上部が前方に曲折されて、そこにシート保持部４ｅが形成される。このシート保持部４ｅは、門型曲りフレーム４の中間部内側に水平に固定した棒状の支持フレーム２ａに固定される。このシート保持部４ｅと支持フレーム２ａ上に、チャイルドシート１０の座部１２を固定するための取付板６が溶接等により固定される。この取付板６は、図８、図９に示すように、平坦部の両側に立ち上り部６ａを垂直に立ち上げて形成され、その平坦部と立ち上り部６ａの上端に固定ねじ用の取付孔が穿設される。
【００１５】
ところで、かご保持フレーム４の中央前部に、中フレーム４ｂの前部が立ち上がって配設されるので、後述のようにネスティングにより複数のカートを前後に重ねて収納する際に、後のカートの中フレーム４ｂ前部の立ち上がり部の進入を許容するために、かご保持フレーム４の２本の中フレーム４ｂがその間に空間Ｋを設けて配設される。この空間Ｋは、図２のように、その後部が全部の中フレーム４ｂの立ち上がり部の幅より広く形成され、この空間Ｋ内に中フレーム４ｂの前部の立ち上がり部が進入可能である。
【００１６】
更に、立設した門型曲りフレーム２の中間部と上記取付板６上に、チャイルドシート１０が前向きに装着される。チャイルドシート１０は、基本的には、背部１１、座部１２、肘置きガード部１３を別個に成形し、それらを分解可能に組み付けて構成され、背部１１は中央部が凹状に両側部が前方に膨出して形成される。また、この背部１１は、門型曲りフレーム２の中間部に水平に設けた水平軸１４を軸にして、前後に回動可能に支持される。背部１１は合成樹脂のブロー成形または射出成形により成形されるが、背部１１のみとして成形されるから、充分な立体形状つまり中央部が凹状で両側部が前方に充分に膨出した立体形状に成形される。なお、水平軸１４と背部の連結は、背部１１の背面側から外すことができ、この水平軸１４との連結を外せば、背部１１をフレームから容易に外すことができる。
【００１７】
座部１２は、座部本体の両側に、幼児の腰部の両側部を囲う側壁部１２ａを立設して形成され、両側の側壁部１２ａの後部には、背部１１の下端部が当る背部当て部１２ｂが内側に突出して設けられる。また、座部１２は、合成樹脂のブロー成形により成形されるが、背部１１と同様に、座部のみとして単体で成形されるから、座部本体から側壁部１２ａにかけて良好な立体形状を持ち、幼児の腰部を良好に保持する形状に形成されている。座部２の後部は、図２、図５、または図８に示すように開口し、ネスティング時に後のカートの肘置きガード部１３の前部が進入可能な構造としている。
【００１８】
更に、肘置きガード部１３は、幼児の胴前部を囲ってガードするように円弧状に形成され、これも上記と同様に、合成樹脂のブロー成形または射出成形により単体で成形される。また、肘置きガード部１３の中央と座部１２前部との間に装着される縦長の股支持部１５が単体で合成樹脂により成形される。
【００１９】
このように各々成形された座部１２、肘置きガード部１３、及び股支持部１５は、図７、図８に示すように、固定ねじ２０〜２２を使用して組み付けられ、チャイルドシート１０の座席部を形成する。組み立てに際し、先ず、座部１２の側壁部１２ａの上に肘置きガード部１３を組み付け、座部１２の側壁部１２ａの内側から両側で２本づつ４本の固定ねじ２０をねじ込み、締め付け固定する。次に、股支持部１５を肘置きガード部１３の中央部と座部１２前部との間にはめ込み、２本の固定ねじ２１を座部１２の下側からと１本の固定ねじ２１を股支持部１５の内側からねじ込み、締め付け固定する。
【００２０】
そして、このように組み付けた座席部を、中フレーム４ｅ上に固定した取付板６上に、５本の固定ねじ２２を取付板６の下側からねじ込み、締め付け固定する。取付板６はその両側に立ち上がり部６ａを有し、座部１２の底部がその立ち上がり部６ａの間に嵌り込むように組み付けられ、ねじ止められるから、座部１２は容易に動くことなく強固に取付板６上に固定することができる。
【００２１】
背部１１は、門型曲りフレーム２の上部の内側に、その下端部を座部１２の内側に入れ、水平軸１４を支点に前後に回動可能に取り付けられ、背部１の下端部は、図５に示すように、座部１２の背部当て部１２ｂに当って静止する。なお、背部１１内の中央に、スポンジ等の軟質部材で形成されたパッド部１６が幼児の頭当てとして取着されている。
【００２２】
このように、チャイルドシート１０は、背部１１、座部１２、肘置きガード部１３、及び股支持部１５が別個に成形されることから、任意な立体形状に形成することができ、肘置きガード部１３、股支持部１５も充分な太さと強度を持って幼児を安全に保持するように形成される。更に、座部１２の前には、腰ベルト１７が座部１２内の幼児の腰を拘束するように、その両端を門型曲りフレーム２の両側部に連結して、取り付けられる。なお、図４に示すように、門型曲りフレーム２の上部側にハンドバッグ等を掛けるためのバッグかけ９が設けられる。
【００２３】
上記構成のショッピングカートは、スーパーマーケット、大型量販店等において、幼児を連れて買い物をする買い物客のために使用される。幼児は、図４に示すように、チャイルドシート１０に前向きに乗せられ、ショッピングかごＳはかご保持フレーム４内に載せて使用される。
【００２４】
幼児は、チャイルドシート１０の上からその座部１２の前部に両足を挿入するようにシートに乗せられ、その状態で、幼児の腰の前に腰ベルト１７がかけ渡すように装着される。幼児は、チャイルドシート１０の座部１２内に腰を入れ、その前を腰ベルト１７と肘置きガード部１３によって囲まれ、背中を背部１１によって保持される。従って、チャイルドシート１０上の幼児は、むずかったりしても、シートから落ちたりすることなく、安全に乗せて移動することができる。また、チャイルドシート１０の背部１１が充分に深く立体的に形成され、中央の凹部内に幼児の上半身が保持されるから、幼児が寝てしまったような場合でも、落ちたりすることなく、安全に移動することができる。
【００２５】
また、チャイルドシート１０は、合成樹脂のブロー成形または射出成形により、背部１１、座部１２、肘置きガード部１３が成形され、幼児の頭に当る部分にはパッド部１６が設けられているから、幼児には座り心地がよく、快適にチャイルドシート１０を使用することができる。
【００２６】
また、このショッピングカートは、不使用時、図１０に示すように、複数のカートを、その前後で重ね合わせるようにしてネスティングすることができ、コンパクトな収納状態とすることができる。ネスチィング時、後のカートのチャイルドシート１０の肘置きガード部１３の前部が、前のカートのチャイルドシート１０の背部１１の下部を押してこれを前に回動させ、また、かご保持フレーム４においては、後の中フレーム４ｂの前部が、前の２本の中フレーム４ｂの間の空間Ｋ内に進入して、複数のカートを前後に良好に重ね合わせることができる。
【００２７】
【発明の効果】
以上説明したように、本発明のショッピングカートによれば、チャイルドシートが、背部、座部、肘置きガード部、及び股支持部を別個に成形し、それらを分解可能に組み立てて構成されるから、各部を合成樹脂により任意な立体形状に成形することができ、特にその背部は中央の凹部を充分に深く立体的に形成して、幼児の上半身を背部内に良好に保持させることができ、肘置きガード部、股支持部は、充分な太さと強度を持って幼児を安全に保持することができる。また、チャイルドシートの各部つまり背部、座部、肘置きガード部、及び股支持部は固定ねじ等を外して分解・取外しが可能であるから、部分的に破損した場合には、その箇所のみを交換・修理することができ、また、使用中のトラブルで幼児の足等が座席部に嵌ってしまったような場合、座部、肘置きガード部、或は股支持部を取り外せば、容易に解決することができる。
【図面の簡単な説明】
【図１】本発明の一実施形態を示すショッピングカートの正面図である。
【図２】同カートの背面図である。
【図３】同カートの平面図である。
【図４】同カートの右側面図である。
【図５】同カートの斜視図である。
【図６】図１のVI-VI 断面図である。
【図７】チャイルドシートの座席部の右側面図である。
【図８】チャイルドシートの座席部の平面図である。
【図９】図６のVIII-VIII 断面図である。
【図１０】ネスティング時のショッピングカートの右側面図である。
【符号の説明】
１−ベースフレーム
２−門型曲りフレーム
３−自在キャスタアー
４−かご保持フレーム
６−取付板
１０−チャイルドシート
１１−背部
１２−座部
１３−肘置き部
１４−水平軸
１５−股支持部
１６−パッド部
【図１】
0003760333.tif 000002
【図２】
0003760333.tif 000003
【図３】
0003760333.tif 000004
【図４】
0003760333.tif 000005
【図５】
0003760333.tif 000006
【図６】
0003760333.tif 000007
【図７】
0003760333.tif 000008
【図８】
0003760333.tif 000009
【図９】
0003760333.tif 000010
【図１０】
0003760333.tif 000011